(57)【要約】      （修正有）【課題】一端部の外側面に面テープを備えると共に、他端部の内側面に前記面テープに対応する面テープを備えたベルトであって、使用を重ねた場合においても体裁が損なわれることがなく、また、面テープに埃や髪の毛、繊維状物等が絡み付いて不潔感を抱かせるおそれがないベルトを提供する。【解決手段】一端部の外側面に面ファスナー４を備えると共に、他端部３の内側面に面ファスナー４に対応する面ファスナー５を備えたベルトであって、面ファスナー４は開閉可能な袋状の隠蔽部６内に収められ、面ファスナー５は隠蔽部を開いた状態において面ファスナー４に係着され、その状態において隠蔽部をスライドファスナー８で閉じることによって隠蔽部内に隠蔽される。【選択図】図２
0003206311.tif 000002
【実用新案登録請求の範囲】
【請求項１】
一端部の外側面に面ファスナーを備えると共に、他端部の内側面に前記面ファスナーに対応する面ファスナーを備えたベルトであって、
前記一端部の面ファスナーは開閉可能な袋状の隠蔽部内に配置され、前記他端部の面ファスナーは前記隠蔽部を開いた状態において前記一端部の面ファスナーに係着され、その状態において前記隠蔽部を閉じることによって前記他端部が前記隠蔽部内に隠蔽されることを特徴とするベルト。
【請求項２】
前記ベルトの少なくとも一部が袋状に形成され、その部分に帯状磁気治療器が内装されている、請求項１に記載のベルト。
【請求項３】
前記隠蔽部の開閉は、前記隠蔽部の上部に長さ方向に伸びるように配設されたスライドファスナーを介して行われる、請求項１又は２に記載のベルト。
【考案の詳細な説明】
【技術分野】
【０００１】
本考案はベルトに関するものであり、より詳細には、一端部の外側面に面テープを備えると共に、他端部の内側面に前記面テープに対応する面テープを備えたベルトに関するものである。
【背景技術】
【０００２】
例えば、磁気治療用ベルト等に用いるベルトとして、一端部の外側面に面テープを備えると共に、他端部の内側面に前記面テープに対応する面テープを備えたベルトが用いられている。このベルトの場合、面ファスナー同士の脱着の際に縁辺を摘みやすくするために、面テープは、縁辺を残して最端部から少し離れた位置に定着されている。
【０００３】
しかるに、この縁辺は、使用を重ねるに従い、捲り上がった状態に癖がつき、体裁が悪いものとなる。また、使用時及び不使用時において、面テープの全面あるいは一部が露出状態になるため、そこに埃や髪の毛、繊維状物等が絡み付きやすく、しかも、除去しにくくて残存するので、不潔な印象を抱くことも少なくない。
【先行技術文献】
【特許文献】
【０００４】
【特許文献１】特開２００５−７１３０号公報
【特許文献２】特開２００２−１３６６０９号公報
【特許文献３】特開平１０−１７９７７０号公報
【考案の概要】
【考案が解決しようとする課題】
【０００５】
上述したように、一端部の外側面に面テープを備えると共に、他端部の内側面に前記面テープに対応する面テープを備えたベルトが磁気治療用ベルト等の用途に用いられているが、そのベルトの場合、使用を重ねるに従い、縁辺が捲り上がった状態に癖がつき、体裁が悪いものとなり、また、面テープに埃や髪の毛、繊維状物等が絡み付き、除去しにくいために、不潔な印象を抱くことが少なくないという問題があった。
【０００６】
そこで、本考案はこのような問題のない、即ち、一端部の外側面に面テープを備えると共に、他端部の内側面に前記面テープに対応する面テープを備えたベルトであって、使用を重ねた場合においても体裁が損なわれることがなく、また、面テープに埃や髪の毛、繊維状物等が絡み付いて不潔感を抱かせるおそれがないベルトを提供することを課題とする。
【課題を解決するための手段】
【０００７】
上記課題を解決するための請求項１に記載の考案は、一端部の外側面に面ファスナーを備えると共に、他端部の内側面に前記面ファスナーに対応する面ファスナーを備えたベルトであって、前記一端部の面ファスナーは開閉可能な袋状の隠蔽部内に配置され、前記他端部の面ファスナーは前記隠蔽部を開いた状態において前記一端部の面ファスナーに係着され、その状態において前記隠蔽部を閉じることによって前記他端部が前記隠蔽部内に隠蔽されることを特徴とするベルトである。
【０００８】
一実施形態においては、前記ベルトの少なくとも一部が袋状に形成され、その部分に帯状磁気治療器が内装される。また、前記隠蔽部の開閉は、前記隠蔽部の上部に長さ方向に伸びるように配設されたスライドファスナーを介して行われる。
【考案の効果】
【０００９】
本考案は上述したとおりであって、面ファスナー同士が係着状態にある時、その係着部が隠蔽部内に隠蔽されて露出しないため、反復使用に伴い、端部が捲れ上がって癖が付くおそれがないので体裁が損なわれず、また、埃や繊細物が面ファスナーに絡み付きにくくなるため、清潔感を維持したまま長期間使用し得る効果がある。
【図面の簡単な説明】
【００１０】
【図１】本考案に係るベルトの一部切截斜視図である（隠蔽部閉時）。
【図２】本考案に係るベルトの一部切截斜視図である（隠蔽部開時）。
【図３】本考案に係るベルトの一部切截表面図である。
【図４】本考案に係るベルトにおける帯状磁気治療器の装入方法を示す裏面図である。
【考案を実施するための形態】
【００１１】
本考案を実施するための形態について、添付図面を参照しつつ説明する。図１及び図２に示されるように、本考案に係るベルトは、ベルト本体１の一端部２の外側面に面ファスナー４を備えると共に、他端部３の内側面に面ファスナー４に対応する面ファスナー５を備えたベルトである。一方の面ファスナー４は、ベルト本体１の一端部２に形成される開閉可能な袋状の隠蔽部６内に配置され、他方の面ファスナー５は、隠蔽部６を開いた状態において面ファスナー４に係着される。
【００１２】
隠蔽部６はその外端辺に、常時開放されている開口７を有し、また、スライドファスナー８、あるいは、面テープ等の開閉手段を介し、ほぼ全長に亘って開閉可能に構成されている。この隠蔽部６を開くと面ファスナー４が露出するので（図２参照）、その状態において面ファスナー５との係着が可能となる。面ファスナー４、５同士を係着した後、スライドファスナー８を閉じると、他端部３は、隠蔽部６内に隠れて見えなくなる（図１参照）。
【００１３】
ベルト本体１の少なくとも一部を袋状に形成し、その部分に帯状磁気治療器９を内装することで、本ベルトを磁気治療用ベルトとすることができる。図示した例においては、隠蔽部６の奥端部が開放されていて、そこから帯状磁気治療器９を挿入し得るようになっている。なお、ベルト本体１の外面皮１ａと内面皮１ｂは、金属製の帯状磁気治療器９を内装する関係上、当て布を配する等により若干厚手にされる。
【００１４】
上記構成の本考案に係るベルトを腰に装着する場合は、スライドファスナー８を開いて面ファスナー４を露出させた状態で、一端部２を腹部に当ててベルト本体１を腰に回し、他端部３を隠蔽部６上に引き回し、その面ファスナー５を面ファスナー４の適宜位置に当てて係着させる（図２参照）。その後、スライドファスナー８を閉じることで、他端部３を隠蔽部６内に隠蔽する（図１参照）。
【００１５】
このように、本考案に係るベルトの場合は、面ファスナー４、５同士が係着状態にある時にその係着部が隠蔽部６内に隠蔽されるため、他端部３は、隠蔽部６内において押さえ込まれてその端部が捲れ上がるおそれがないので、捲れ上がり癖が付いて体裁が損なわれることがなく、また、埃や繊細物等が面ファスナー４、５に絡み付くこともないので、不潔感を抱くことなく、清潔感を維持したまま長期間使用することが可能となる。
【符号の説明】
【００１６】
１      ベルト本体
１ａ    外面皮
１ｂ    内面皮
２      一端部
３      他端部
４、５  面テープ
６      隠蔽部
７      開口
８      スライドファスナー
９      帯状磁気治療器
【図１】
0003206311.tif 000003
【図２】
0003206311.tif 000004
【図３】
0003206311.tif 000005
【図４】
0003206311.tif 000006